(57)【要約】      （修正有）【課題】迅速簡単に足に合わせ易く且つ履き易い機能を付加した靴紐を有する紳士靴又はスニーカ又はスポーツシューズ等の靴を提供する。【解決手段】靴は、両開きの左右羽根１０１、１０２において、下から上にかけて所定間隔で左右対称にフックボタン１０３−１、１０４−１を複数段備え、各段毎の左右フックボタン１０３−１、１０４−１間にリング状弾性紐１０５を取り外し可能にフックボタン１０３−１、１０４−１に掛けて締める。リング状弾性紐１０５を下段から上段に掛けて徐々に太く又は幅広くして強くし、靴は紳士靴又はスニーカ又はスポーツシューズである。【選択図】図１
0003231789.tif 000002
【実用新案登録請求の範囲】
【請求項１】
靴の両開きの左右羽根において、所定間隔で左右対称にフックボタンを複数段設け、各段ごとのフックボタン間にリング状弾性紐を取り外し可能に掛け締めたことを特徴とする靴。
【請求項２】
前記靴が紳士靴又はスニーカ又はスポーツシューズであることを特徴とする請求項１に記載の靴。
【考案の詳細な説明】
【技術分野】
【０００１】  本考案は、足に合わせ易く且つ履き易い機能を付加した靴紐を有する紳士靴又はスニーカ又はスポーツシューズ等の靴に関する。
【背景技術】
【０００２】  紳士靴又はスニーカ又はスポーツシューズ等の靴における靴紐は、従来図３〜図５にて紹介の略３タイプが主流である。
図３に示す従来公知の靴の例１タイプは、紳士靴０１−１の例であり、靴紐は、両開きの左右の羽根０１，０２において、下から上にかけて所定間隔で左右対称に紐通し穴０３，０４を複数段備え、一本の靴紐０５の一端０６を最下段の右の紐通し穴０３から通し始めて、羽根０１，０２下でクロスしながら各段毎の左右の紐通し穴０３，０４に順次通して最上段の例えば左の紐通し穴０４に通し、一方、靴紐０５の他端０７を羽根０１，０２下でクロスして最下段の左の紐通し穴０４に通しここから最上段の紐通し穴０３に直接通し、その後最上段の紐通し穴０３、０４から出た紐の両端０６，０７を結んで締めるものである。
この例の他の紐掛けは、一本の靴紐０５の一端０６を最下段の右の紐通し穴０３から通し始めて一段おきの左右の紐通し穴０３，０４に通して羽根０１，０２下でクロスして順次最上段の例えば左の紐通し穴０４に通し、一方、靴紐０５の他端０７を最下段の左の紐通し穴０４に通してここからも同様に羽根０１，０２下でクロスして一段おきの左右の紐通し穴０３，０４に順次通していき、その後最上段の紐通し穴０３、０４から出た紐の両端０６，０７を結んで締めるものである。【０００３】  また図４に示す従来公知の靴の例２タイプは、スニーカ又はスポーツシューズ０１−２の例であり、両開きの左右の羽根００１，００２において、下から上にかけて所定間隔で左右対称に紐通し穴００３，００４を複数段備え、一本の靴紐００５の一端００６を最下段の右の紐通し穴００３に上から紐の約半分の長さを通し、これと併せて靴紐００５の他端００７を最下段の左の紐通し穴００４に上から紐の約半分の長さを通す。ついで靴紐００５の両端００６，００７を図に示すように下から引き上げてクロスして次段の紐通し穴００４、００３に各々その上から通し、その後再び下から引き上げてクロスして次段の紐通し穴００３、００４に各々その上から通すことを繰り返し最上段の紐通し穴００３、００４から出た紐の両端００６，００７を結んで締めるものである。【０００４】  図５（１）と（２）に示す従来公知の靴の例３タイプは、スニーカ又はスポーツシューズ０１−３の例であり、両開きの左右の羽根０００１，０００２において、下から上にかけて所定間隔で左右対称に穴０００３，０００４を複数段備える。この各段毎の穴０００３，０００４単位に図５（１）と（２）に示すように伸縮可能な弾性式平ゴムの留め具０００５を取り付けるものである。
平ゴムの留め具０００５は、図５（１）に示すように両側端に、前記穴０００３，０００４に挿入するＴ字状の引っ掛け突起０００６を付設したものである。Ｔ字状の引っ掛け突起０００６は、穴０００３，０００４に挿入する際は折り曲げて挿入し、挿入後はその復元作用で穴０００３，０００４から引き抜かれないＴ字状に戻る。
【考案の概要】
【考案が解決しようとする課題】
【０００５】  前述に紹介した従来の靴における靴紐はいずれも手間暇が掛かる。特に図３と図４のタイプは締め直しには全ての段の紐部を緩めながら行うもので時間がかかり煩雑である。
また図５に示すタイプは、穴へのＴ字状引っ掛け突起０００６の装入に時間がかかり煩雑である。またＴ字状引っ掛け突起０００６の破損も著しい。
本考案は、迅速簡単に足に合わせ易く且つ履き易い機能を付加した靴紐を有する紳士靴又はスニーカ又はスポーツシューズ等の靴を提供する。
【課題を解決するための手段】
【０００６】  上記課題を満足させる本考案における主な技術構成は、次の（１）〜（３）の通りである。
（１）、靴の両開きの左右羽根において、下から上にかけて所定間隔で左右対称にフックボタンを複数段備え、各段ごとのフックボタン間にリング状弾性紐を取り外し可能にフックボタンに掛けて締めたことを特徴とする靴。
（２）、前記靴が紳士靴又はスニーカ又はスポーツシューズであることを特徴とする前記（１）に記載の靴。
【考案の効果】
【０００７】  本考案の靴は、前記リング状弾性紐によりワンタッチでフックボタンに掛けることが出来るので足に合わせ易く且つ履き易い機能になる等の優れた作用効果を呈するものである。
【図面の簡単な説明】
【０００８】
【図１】本考案の実施例１を示す鳥瞰説明図（１）である。（２）は実施例１における（１）の矢視Ａ−Ａから見たフックボタン１０３−１，１０４−１の正面拡大図である。
【図２】本考案の実施例２を示す鳥瞰説明図（１）である。（２）は実施例２における（１）の矢視Ｂ−Ｂから見たフックボタン１０３−２，１０４−２の正面拡大図である。
【図３】従来公知の靴の例１タイプを示す斜視説明図である。
【図４】従来公知の靴の例２タイプを示す斜視説明図である。
【図５】従来公知の靴の例３タイプを一部分を拡大して示す斜視説明図（１）である。（２）は靴の例３タイプにおける全体の斜視説明図である。
【考案を実施するための形態】
【０００９】  本考案を実施するための形態を図１及び図２に示す実施例により詳細に説明する。
図１に示す本考案の実施例１の靴は、スニーカ又はスポーツシューズ１００−１であり、両開きの左右羽根１０１，１０２において、下から上にかけて所定間隔で左右対称にフックボタン１０３−１，１０４−１を複数段備え、各段ごとのフックボタン１０３−１，１０４−１間にリング状弾性紐１０５を取り外し可能に掛けて締めるものである。
【００１０】  図２に示す本考案の実施例２の靴は、紳士靴１００−２であり、前例同様に両開きの左右羽根１０１，１０２において、下から上にかけて所定間隔で左右対称にフックボタン１０３−２，１０４−２を複数段備え、各段ごとのフックボタン１０３−２，１０−２４間にリング状弾性紐１０５を取り外し可能に掛けて締めるものである。
【００１１】  前記リング状弾性紐１０５は、例えば合成ゴムをカラー伸縮網布で覆ったゴム紐あるいは、合成ゴをのみで形成したもの、又は細ゴムを縮網布で覆ったゴム紐を複数本で編み上げた編上ゴム紐等で構成すればよいが、本考案はこれらに限定することは無く現状公知の弾性紐であればよい。
また前記リング状弾性紐１０５は、下段から上段に掛けて徐々に太く又は幅広くして徐々に強くして足首の動きを安全に拘束安定させたり、或いは下段から上段に掛けて徐々に細く又は幅狭にして徐々に弱くして足首の動きに優しく柔軟性を持たせることが可能になる。
【００１２】  また前記フックボタンは、図１（２）のように、通称ボタンと呼ばれる円形盤でその中心部が羽根１０１，１０２に連結したフックボタン１０３−１，１０４−１、或いは図２（２）のように羽根１０１，１０２の反対面側のみを開放したコ字型のフックボタン１０３−２，１０４−２で構成すればよいが、これも本考案はこれらに限定することは無く羽根１０１，１０２の外側の横からリング状弾性紐１０５に引っ掛ける現状公知のフックボタンであればよい。
【産業上の利用可能性】
【００１３】  本考案の一般家庭では勿論、靴産業への寄与と発展に貢献すること多大なものがある。
【符号の説明】
【００１４】  １００−１：スニーカ又はスポーツシューズ
１００−２：紳士靴
１０１，１０２：左右の羽根
１０３−１，１０４−１：フックボタン
１０３−２，１０４−２：フックボタン
１０５：リング状弾性紐
【図１】
0003231789.tif 000003
【図２】
0003231789.tif 000004
【図３】
0003231789.tif 000005
【図４】
0003231789.tif 000006
【図５】
0003231789.tif 000007